(57)【要約】【課題】ベースとなる地図情報に対し携帯情報端末にて追加又は修正を行い、それら追加又は修正された情報（付加情報）をデータベース端末にて一元管理することにより、複数のユーザが追加又は修正された最新情報を共有することが可能となり、さらにユーザ各々が欲する最新情報のみを取得することが可能な位置情報管理システム、携帯端末及び地図表示方法を提供する。【解決手段】地図情報の少なくとも一部と自己の現在地を示す位置情報とが表示可能な携帯情報端末１と、携帯情報端末１において作成された情報であり地図情報に対して追加又は修正する情報からなる付加情報を管理するデータベース端末とを有することを特徴とする。【選択図】  図１
2004228996.tif 000002
【特許請求の範囲】
【請求項１】
携帯端末とデータベース端末とから構成される位置情報管理システムにおいて、
前記データベース端末は、
地図情報に対応する付加情報を管理する管理手段と、前記付加情報を前記携帯端末に送信する送信手段と、を備え、
前記携帯端末は、
地図情報が格納された記憶手段と、前記携帯端末の位置情報を受信する受信手段と、該受信した位置情報に対応する地図情報を前記記憶手段から抽出して前記位置情報に基づく自己の現在地とともに表示する表示手段と、該表示する地図情報に対応する付加情報を前記データベース端末に要求する要求手段と、該要求した付加情報を取得する取得手段と、を備え、
前記データベース端末は、地図情報に対応する付加情報の要求を前記携帯端末から受けた場合は、前記管理手段が管理している付加情報から前記要求に対応する付加情報を抽出して前記送信手段を介して前記携帯端末に送信し、前記携帯端末は前記要求に対応する付加情報を取得した場合は、前記表示手段により前記表示する地図情報に対応させて前記取得した付加情報を表示することを特徴とする位置情報管理システム。
【請求項２】
前記携帯端末は、
前記表示手段に表示した地図情報に付加情報を対応付ける操作手段と、
前記対応付けした付加情報に関する情報を前記データベース端末に送信する送信手段と、
を備えたことを特徴とする請求項１記載の位置情報管理システム。
【請求項３】
前記データベース端末は、前記携帯端末が地図情報に対応付けた付加情報に関する情報を前記携帯端末から受信する受信手段を備え、
前記データベース端末は、複数の携帯端末から受信する各携帯端末が対応付けた付加情報に関する情報を前記管理手段において管理することを特徴とする請求項１又は２記載の位置情報管理システム。
【請求項４】
前記記憶手段は、前記携帯端末に対して着脱可能であることを特徴とする請求項１又は２記載の位置情報管理システム。
【請求項５】
位置情報に対応する付加情報を管理しているデータベース端末と通信可能な携帯端末において、
地図情報が格納された記憶手段と、
携帯端末の位置情報を受信する受信手段と、
該受信した位置情報に対応する地図情報を前記記憶手段から抽出して前記位置情報に基づく自己の現在地とともに表示する表示手段と、
該表示する地図情報に対応する付加情報を前記データベース端末に要求する要求手段と、
該要求した付加情報を取得する取得手段と、を備え、
前記要求した付加情報を取得した場合、前記表示手段は、前記表示する地図情報に対応させて前記取得した付加情報を表示することを特徴とする携帯端末。
【請求項６】
前記表示手段に表示した地図情報に付加情報を対応付ける操作手段と、前記対応付けした付加情報に関する情報を前記データベース端末に送信する送信手段と、を備えたことを特徴とする請求項５記載の携帯端末。
【請求項７】
前記記憶手段は、前記携帯端末に対して着脱可能であることを特徴とする請求項５又は６記載の携帯端末。
【請求項８】
携帯端末の現在地に基づく地図情報を記憶媒体から抽出して表示するとともに、地図情報に対応して付加情報を管理しているデータベース端末に対して前記抽出した地図情報に基づく付加情報を要求し、該要求した付加情報を取得した場合は、前記抽出した地図情報に対応させて取得した付加情報を表示することを特徴とする携帯端末の地図表示方法。
【発明の詳細な説明】
【０００１】
【発明の属する技術分野】
本発明は、自己の現在地の位置情報が表示可能な携帯端末と、その携帯端末にて追加又は修正された付加情報を一元管理するデータベース端末とから構成される位置情報管理システム、携帯端末及び地図表示方法に関する。
【０００２】
【従来の技術】
携帯電話機や携帯情報端末などの携帯端末において現在実現可能な位置情報サービスとしては、車のナビゲーションシステムと同様である衛星と通信可能なＧＰＳ機能を実装することによって位置情報を検出するものや、米Ｑｕａｌｃｏｍｍ社にて開発された衛星及び周辺基地局と通信することによって、より精度の高い位置情報を検出するＧｐｓＯｎｅ機能などが挙げられる。
【０００３】
また、車のナビゲーションシステムでは、衛星との通信による位置情報検出に対して、近くにある不動の基地局から送信されたＦＭ多重放送を受信して得られた補正情報を含めて、より精度の高い位置情報を検出するといったものがある。また、その他に携帯電話では、自己の現在地を担当する基地局から大まかな位置情報を通知するといったものも存在する。この場合、基地局がカバーする範囲が狭ければ狭いほど、得られる位置情報の精度が向上する。その他にも各種の位置情報サービスが考え出されている（例えば、特許文献１，２参照）。
【０００４】
【特許文献１】
特開２００１−１５９５２８号公報
【特許文献２】
特開平１０−２８１８０１号公報
【０００５】
【発明が解決しようとする課題】
しかしながら、上記従来の位置情報サービスでは、予め用意された地図情報をＣＤ−ＲＯＭ又はＤＶＤなどの大容量な蓄積媒体から読み込みこんでそれを表示する必要があり、あるいは位置情報サービスを受ける度に、基地局経由にてデータベース端末から地図情報をダウンロードして表示する必要があった。
【０００６】
そこで、従来の位置情報サービスでは、位置情報サービスを受ける度に通信料金が加算されるという問題点と、多数のユーザにとって平均的に必要と思われる多くのデータを格納するために大容量の蓄積媒体が必要となるという問題点があった。
【０００７】
また、従来の位置情報サービスで用いられる地図情報は、その地図情報を作成するメーカーが入力した一般大衆向けの情報、又はスポンサー契約などによる情報のみを含んでおり、ユーザ各々のニーズ（時々刻々と変動するニーズ）に全く対応できないという問題点がある。
【０００８】
本発明は、ベースとなる地図情報に対し複数の携帯端末（携帯電話機や携帯情報端末など）にて追加又は修正を行い、それら追加又は修正された情報（付加情報）をデータベース端末にて一元管理することにより、複数のユーザが追加又は修正された最新情報を共有することが可能となり、さらにユーザ各々が欲する最新情報のみを取得することが可能な位置情報管理システム、携帯端末及び地図表示方法の提供を目的とする。
【０００９】
【課題を解決するための手段】
上記目的を達成するために、請求項１に記載の発明は、携帯端末とデータベース端末とから構成される位置情報管理システムにおいて、前記データベース端末は、地図情報に対応する付加情報を管理する管理手段と、前記付加情報を前記携帯端末に送信する送信手段と、を備え、前記携帯端末は、地図情報が格納された記憶手段と、前記携帯端末の位置情報を受信する受信手段と、該受信した位置情報に対応する地図情報を前記記憶手段から抽出して前記位置情報に基づく自己の現在地とともに表示する表示手段と、該表示する地図情報に対応する付加情報を前記データベース端末に要求する要求手段と、該要求した付加情報を取得する取得手段と、を備え、前記データベース端末は、地図情報に対応する付加情報の要求を前記携帯端末から受けた場合は、前記管理手段が管理している付加情報から前記要求に対応する付加情報を抽出して前記送信手段を介して前記携帯端末に送信し、前記携帯端末は前記要求に対応する付加情報を取得した場合は、前記表示手段により前記表示する地図情報に対応させて前記取得した付加情報を表示することを特徴とする。
このようにすると、例えば無線通信網に接続された携帯情報端末において、基地局及びＧＰＳ衛生などから得られる位置情報と、ＩＣカードなどから読み出される地図情報に対して、複数のアイコンが登録されたパレットを用いて情報（付加情報）を追加又は修正することができる。また、データベース端末は、例えば複数の携帯情報端末にて追加又は修正された情報（付加情報）を一元管理するのことができるので、携帯情報端末のユーザが欲する情報のみを抽出して提供することができる。
【００１０】
請求項２に記載の発明は、前記携帯端末が、前記表示手段に表示した地図情報に付加情報を対応付ける操作手段と、前記対応付けした付加情報に関する情報を前記データベース端末に送信する送信手段と、を備えたことを特徴とする。
【００１１】
請求項３に記載の発明は、前記データベース端末が、前記携帯端末が地図情報に対応付けた付加情報に関する情報を前記携帯端末から受信する受信手段を備え、前記データベース端末は、複数の携帯端末から受信する各携帯端末が対応付けた付加情報に関する情報を前記管理手段において管理することを特徴とする。
【００１２】
請求項４に記載の発明は、前記記憶手段が前記携帯端末に対して着脱可能であることを特徴とする。
【００１３】
請求項５に記載の発明は、位置情報に対応する付加情報を管理しているデータベース端末と通信可能な携帯端末において、地図情報が格納された記憶手段と、携帯端末の位置情報を受信する受信手段と、該受信した位置情報に対応する地図情報を前記記憶手段から抽出して前記位置情報に基づく自己の現在地とともに表示する表示手段と、該表示する地図情報に対応する付加情報を前記データベース端末に要求する要求手段と、該要求した付加情報を取得する取得手段と、を備え、前記要求した付加情報を取得した場合、前記表示手段は、前記表示する地図情報に対応させて前記取得した付加情報を表示することを特徴とする。
【００１４】
請求項６に記載の発明は、前記携帯端末が、前記表示手段に表示した地図情報に付加情報を対応付ける操作手段と、前記対応付けした付加情報に関する情報を前記データベース端末に送信する送信手段と、を備えたことを特徴とする。
【００１５】
請求項７に記載の発明は、前記記憶手段が前記携帯端末に対して着脱可能であることを特徴とする。
【００１６】
請求項８に記載の発明は、携帯端末の現在地に基づく地図情報を記憶媒体から抽出して表示するとともに、地図情報に対応して付加情報を管理しているデータベース端末に対して前記抽出した地図情報に基づく付加情報を要求し、該要求した付加情報を取得した場合は、前記抽出した地図情報に対応させて取得した付加情報を表示することを特徴とする。
【００１７】
【発明の実施の形態】
以下、図面を参照し、本発明の一実施形態に係る位置情報管理システムついて説明する。図１は、本実施形態の位置情報管理システムの構成要素となるクライアント側の携帯情報端末を示すブロック図である。
【００１８】
携帯情報端末１は、衛星又は周辺基地局とデータの送受信を行うことによって自己の現在地の位置情報を得ることができる。また、携帯情報端末１は、通信インターフェース１１、ＩＣカードインターフェース１２、表示部１３、ポインティングデバイス１４、ＣＰＵ１５及びメモリ１６を備える。
【００１９】
通信インターフェース１１は、無線通信網に接続可能である。ＩＣカードインターフェース１２は、地図情報カード１１１のインターフェイスとなるものである。そして、ＩＣカードインターフェース１２は、通信インターフェース１１を介して得られた位置情報をカバーしたベースとなる地図情報が格納された地図情報カード１１１からデータを読み込む。表示部１３は、位置情報と地図情報カード１１１から読み込まれた地図情報とその地図情報にリンクした付加情報とを合成して表示する。ポインティングデバイス１４は、表示部１３に表示されたデータに対して情報を追加又は修正するときに用いられる。ＣＰＵ１５は、携帯情報端末１におけるシステム全体の制御を行う。メモリ１６は、携帯情報端末１の動作に必要なワークメモリ領域、通信インターフェース１１から得られる位置情報、地図情報カードから読み込まれる地図情報、追加又は修正した付加情報等を一旦格納する領域などからなる。
【００２０】
図２は、本実施形態の位置情報管理システムの構成要素となるデータベース端末の構成を示すブロック図である。データベース端末２は、通信インターフェース部２１、地図情報データベース部２２、付加情報蓄積部２３及び情報処理部２４を備える。
【００２１】
通信インターフェース部２１は、ネットワーク網に接続されており通信制御処理を行う。地図情報データベース部２２は、予め用意されたベースとなる地図情報を格納する。付加情報蓄積部２３は、複数の携帯情報端末１から受信したものであってベースとなる地図情報に対して追加又は修正を行った情報である付加情報を蓄積する。情報処理部２４は、受信した付加情報がすでに付加情報蓄積部２３に存在するかどうかを判断し、その判断において存在しないとした場合には受信した付加情報を付加情報蓄積部２３に書き込み、一方その判断において存在するとした場合には受信した付加情報を消去する。
【００２２】
次に、上記の携帯情報端末１とデータベース端末２からなる本実施形態の位置情報管理システムの動作について、図３〜図８のフローチャートを参照して説明する。
ユーザ（第１ユーザ）は、ＧＰＳ、Ｄ−ＧＰＳ又はＧｐｓＯｎｅサービスを受信可能な携帯情報端末１を利用して自己の現在地の位置情報を得る事ができる（ＳＴ２）。
その場合、携帯情報端末１にあるＩＣカードインターフェース１２には予めベースとなる周辺の地図情報が格納された地図情報カード１１１が挿入してあるものとする。ここでいう地図情報カード１１１としては、通信キャリアメーカー、端末メーカーなどが一般的に販売可能な大まかに分類された地図情報カード１１１や、デスクトップＰＣに市販のメモリカードを装着し、通信回線経由にてデータベース端末２から大まかに区分された地図情報をダウンロードして、メモリカードに蓄積したカードを適用できる。
【００２３】
またこの場合、携帯情報端末１は、ＧＰＳ、Ｄ−ＧＰＳ又はＧｐｓＯｎｅサービスにて判別された携帯情報端末１の現在地をカバーする地図情報をＩＣカードインターフェース２１から読み込めなかったときは、携帯情報端末１にある表示部１３に「地図情報が読み込めません（地図Ｎｏ．ｘｘ）」等のエラー通知をユーザに対して行う（ＳＴ１）。
【００２４】
その他、地図情報カード１１１に格納されたベースとなる地図情報とは、基本的には、「川」、「海」、「湖」及び、それらに対する「陸」の部分といった様に、自然発生によって存在している地図情報と、それに対する「道路」など、おおよそ不変的な地図情報、並びに、その土地を示す「地番」程度のものをいう。これらの情報を細分化して、複数のプレーンとして、各々細分化された地図情報（プレーン）に対して、携帯情報端末１及びデータベース端末２において判別するための「シリアルＮｏ．」が設けられている。今ユーザの位置情報は「Ａ地点」であり、「Ａ地点」が存在する地図情報（プレーン）を「Ｎｏ．ａ」として、これらが携帯情報端末１に抽出されたものとする（ＳＴ３）。
【００２５】
そして、「Ａ地点」が存在する地図情報「Ｎｏ．ａ」がＩＣカードから読み込まれる。その際、読み込む地図情報に対応する付加情報がＩＣカードに存在する場合は、地図情報と同時に読み込まれ、読み出された地図情報及び付加情報は位置情報と共に合成されて表示される。また、付加情報がＩＣカードに存在しない場合は、読み出された地図情報と位置情報が合成されて表示される。
【００２６】
次に、再度、ユーザ１０１が位置情報を得ようとした場合、ＣＰＵ１５によって、読み出された位置情報（プレーン）に対して（ＳＴ３）リンクした付加情報の有無を判断するため地図情報カード１１１内にある付加情報領域１１１２について検索する（ＳＴ９）。この結果、リンクした付加情報があった場合、ＣＰＵ１５は、ベースとなる地図情報及び通信インターフェース１１から得られた自己の現在地の位置情報とともに、付加情報を合成した地図情報（プレーン）を表示部１３に出力させる。
【００２７】
ユーザが「Ｂ地点」に新しく開店した「レストラン」情報を地図情報に追加する場合について説明する。その場合、ポインティングデバイス１４を用い、追加する旨を携帯情報端末１に通知する（ＳＴ４）。携帯情報端末１内にあるＣＰＵ１５はその通知を受けて、地図情報カード１１１に格納された「分類パレット」を読み取り（ＳＴ５）、表示部１３に出力する。ユーザ１０１は、表示された分類パレットから、登録する情報である「レストラン」のアイコンを選択し、携帯情報端末１に入力する（ＳＴ６）。
【００２８】
この入力を受けた携帯情報端末１のＣＰＵ１５は、表示部１３に表示された地図情報（プレーン）上に、新たに通知（入力）された「レストラン情報」であるアイコンを追加した状態の表示をさせる。またこの場合、備考情報として「店名ｘｘｘ、種別：イタリアン」等の詳細な情報をポインティングデバイス１４で入力することもできる。さらに、携帯情報端末１は、ユーザが追加した情報を携帯情報端末１に挿入されている地図情報カード１１１に記録するか否か、及び、無線通信網を介して、データベース端末２へ追加情報を送信するか否かの判断を表示部１３を介して行う（ＳＴ７）。
【００２９】
地図情報カード１１１に記録する付加情報並びにデータベース端末２へ送信する付加情報としては、リンクする地図情報（プレーン）に振り分けられた「シリアルＮｏ．」情報（この場合には「Ｎｏ．ａ」）、ユーザによって選択されたアイコン情報（この場合は「レストラン」）、登録された位置情報である「緯度、経度」情報及びユーザによる任意の備考情報が挙げられる。「緯度、経度」情報に関しては、携帯情報端末１のＣＰＵ１５が、表示されている地図情報（プレーン）に対するポインティングデバイス１４の位置を読み取ることによって算出することができる。
【００３０】
ＳＴ７において、ユーザがＩＣカード１１１への付加情報の記録及びデータベース端末２への付加情報の送信を選択した場合を、以下に説明する。携帯情報端末１への付加情報記録に関しては、ＩＣカード１１１に格納されたベースとなる地図情報領域１１１１とは別に、付加情報のみの記録を地図情報カード１１１内にある付加情報領域１１１２に対して書き込みを行う（ＳＴ８）。
【００３１】
次に、再度、ユーザ１０１が位置情報を得ようとした場合、ＣＰＵ１５によって、読み出された位置情報（プレーン）に対して（ＳＴ３）リンクした付加情報の有無を判断するため地図情報カード１１１内にある付加情報領域１１１２について検索する（ＳＴ９）。この結果、リンクした付加情報があった場合、ＣＰＵ１５は、ベースとなる地図情報及び通信インターフェース１１から得られた自己の現在地の位置情報とともに、付加情報を合成した地図情報（プレーン）を表示部１３に出力させる。
【００３２】
一方、データベース端末２の情報処理部２４では、携帯情報端末１から受信した付加情報が、データベース端末２にある付加情報蓄積部２３に存在するかどうかの検索を行う（ＳＳ１）。これは、受信した付加情報内にある地図情報（プレーン）が持つ「シリアルＮｏ．」「緯度、経度」等の位置情報や、「アイコン」並びに店名などの備考情報の比較を行えば検索可能である。検索した結果、すでに存在する付加情報と判断された場合には、受信した付加情報を消去し（ＳＳ２）、存在していない新規の付加情報と判断された場合には、受信した付加情報を付加情報蓄積部１１１２に記録する（ＳＳ３）。
【００３３】
さらに、データベース端末２は、ユーザの携帯情報端末１から付加情報を受信し、受信した付加情報が新規の情報であれば、送信したユーザの携帯情報端末１に対して「ポイント」などを与える（ＳＳ７）。逆にデータベース端末２から付加情報又はベースとなる地図情報を携帯情報端末１が得る場合、先に得られた「ポイント」などを利用して入手できるようなシステムを構築することによって、ゲーム感覚にて多数のユーザが適切な最新の地図情報を共有することが可能となる。
【００３４】
また、上記のユーザとは全く別のユーザ（第２ユーザ）が位置情報サービスを受けた場合でも、自己の現在地周辺における付加情報をデータベース端末２から得ることも可能である。これは、第２ユーザが位置情報サービスを受けた場合、地図情報カード１１１から読み込まれる自己の現在地をカバーする地図情報（プレーン）が持つ「シリアルＮｏ．」をデータベース端末２に通知することによって容易に実現可能となる（ＳＴ１０）。
【００３５】
第２ユーザが携帯情報端末１に対して付加情報を得るための操作をポンティングデバイス１４で行うと、携帯情報端末１のＣＰＵ１５がデータベース端末２に対して「シリアルＮｏ．」を送信すると同時に、付加情報を取得したい旨の通知をする。この通知を受けたデータベース端末２の情報処理部２４は、付加情報蓄積部２３から、受信した地図情報シリアルＮｏ．にリンクした付加情報を抽出する（ＳＳ４）。
【００３６】
このとき携帯情報端末１のＣＰＵ１５は、地図情報カード１１１から分類パレットを読み出し、読み出された分類パレットのアイコンを選択することによって（ＳＴ１１）、データベース端末２に対して希望する付加情報の分類を通知する。この通知を受けたデータベース端末２の情報処理部２４は、付加情報蓄積部２３から、受信したアイコン情報に相当するデータを抽出する（ＳＳ５）。
【００３７】
さらに、携帯情報端末１から第２ユーザが欲する付加情報における「キーワード」を併せて通知することによって（ＳＴ１２）、データベース端末２の情報処理部２４は、付加情報蓄積部２３内にある様々な付加情報から受信した「キーワード」を含む又は関連すると思われる情報を検索、抽出を行うことが可能なため、第２ユーザにとってより適切な情報のみを送信することができる（ＳＳ６，ＳＴ１３）。
【００３８】
さらに、データベース端末２は、ユーザの携帯情報端末１から付加情報を受信し、受信した付加情報が新規の情報であれば、送信したユーザの携帯情報端末１に対して「ポイント」などを与える（ＳＳ７）。逆にデータベース端末２から付加情報又はベースとなる地図情報を携帯情報端末１が得る場合、先に得られた「ポイント」などを利用して入手できるようなシステムを構築することによって、ゲーム感覚にて多数のユーザが適切な最新の地図情報を共有することが可能となる。
【００３９】
以上、本発明の実施形態について図面を参照して詳述してきたが、具体的な構成はこの実施形態に限られるものではなく、本発明の要旨を逸脱しない範囲の設計変更等も含まれる。
例えば、携帯端末が付加情報を入力する操作手段はポインティングデバイスに限定するものではない。
また、地図情報もＩＣカードに格納されているものに限定するものではなく、大容量の記憶容量であっても携帯性に支障がなければ携帯端末に内蔵されているものでもよい。この場合、データベース端末が地図のエリアのコードに対応して付加情報を記憶するように設計しておけば、カードのシリアルＮｏ．の替わりに地図のエリアのコードを用いることで携帯端末は付加情報の取得・登録ができる。
【００４０】
【発明の効果】
以上説明したように、本発明によれば、ベースとなる地図情報に対し携帯端末にて追加又は修正を行い、それら追加又は修正された情報（付加情報）をデータベース端末にて一元管理することができるので、複数のユーザが携帯端末を用いて追加又は修正した最新情報を複数のユーザで共有することが可能となり、さらにカテゴリやキーワード等による選択・検索を可能としているので、ユーザ各々が欲する最新情報のみを取得することが可能となる。さらに、新しい情報は更新されるので最新情報を取得することが可能となる。
【００４１】
また、本発明によれば、携帯端末はベースとなる地図情報をネットワークからダウンロードせずにＩＣカード（地図情報カード）から読み込み、その地図情報に対応した追加又は修正情報（付加情報）のみをダウンロードすることができるため、位置情報サービスを受けるときの通信コストを低減することができる。
【００４２】
また、本発明によれば、あらゆる地域の多数ユーザがデータベースを利用することにより、地図情報に基づく付加情報が頻繁に更新される結果、あらゆる地域における最新情報を簡易に収集管理することができる。さらに、各ユーザは、自らが欲する地域及び分類の情報のみを入手することが可能となる。さらに、すべてのユーザが共通の分類パレットを用いて追加又は修正情報を生成することによって、データベース端末での追加又は修正情報の管理を容易にすることもできる。
【図面の簡単な説明】
【図１】本発明の実施形態に係る携帯情報端末を示すブロック図である。
【図２】本発明の実施形態に係るデータベース端末を示すブロック図である。
【図３】本発明の実施形態に係る位置情報管理システムの動作を示すフローチャートである。
【図４】本発明の実施形態に係る位置情報管理システムの動作を示すフローチャートである。
【図５】本発明の実施形態に係る位置情報管理システムの動作を示すフローチャートである。
【図６】本発明の実施形態に係る位置情報管理システムの動作を示すフローチャートである。
【図７】本発明の実施形態に係る位置情報管理システムの動作を示すフローチャートである。
【図８】本発明の実施形態に係る位置情報管理システムの動作を示すフローチャートである。
【符号の説明】
１        携帯情報端末
２        データベース端末
１１      通信インターフェース部
１２      ＩＣカードインターフェース部
１３      携帯情報端末表示部
１４      ポインティングデバイス
１５      ＣＰＵ
１６      メモリ
２１      通信インターフェース
２２      地図情報データベース
２３      付加情報蓄積部
２４      情報処理部
１１１    地図情報カード
１１１１  地図情報格納領域
１１１２  付加情報格納領域
１１１３  分類パレット格納領域
【図１】
2004228996.tif 000003
【図２】
2004228996.tif 000004
【図３】
2004228996.tif 000005
【図４】
2004228996.tif 000006
【図５】
2004228996.tif 000007
【図６】
2004228996.tif 000008
【図７】
2004228996.tif 000009
【図８】
2004228996.tif 000010